(57)【要約】【課題】  コイン送出装置においては、カウンターアームがストッパーに接触した際、ストッパーからの反発力を受けて微小な跳動を起こしてしまい、検出手段であるフォトセンサーはその跳動を誤検出して実際にコインを排出した数と検出手段の検出数とで差異が出てしまうという問題があった。【解決手段】  ホッパーバケット１１０に貯蔵されディスク１２１によって順次コイン出口１２３ａへ案内されるコイン１０によりコイン払出部１３６を開く方向に動作する可動ローラ１３２ａと、可動ローラ１３２ａが枢軸より離間した位置に回動可能に固設され、弾性部材により付勢されるカウンターアーム１３２と、可動ローラ１３２ａの動作からカウンターアーム１３２に発生する揺動を検出する検出手段１３５を付設されたカウンターアーム１３２とからなるコイン送出装置１００において、カウンターアーム１３２の待機位置に設けられたストッパー１３４を低反発部材にしたことを特徴とする。【選択図】  図２
2005190451.tif 000002
【特許請求の範囲】
【請求項１】
バケットに貯められコイン送出円盤によって順次コイン出口へ案内されるコインにより、コイン払出部を開く方向に動作する可動ローラと、該可動ローラが枢軸より離間した位置に回動可能に固設され、前記可動ローラの動作方向とは逆方向へ弾性部材により付勢されるカウンターアームと、弾性部材および前記可動ローラの動作からカウンターアームに発生する揺動を検出する検出手段を付設されたカウンターアームとからなるコイン送出装置において、前記カウンターアームの待機位置に設けられたストッパーを低反発部材にしたことを特徴とするコイン送出装置。
【発明の詳細な説明】
【技術分野】
【０００１】  本発明は、コインを連続的に送り出すコイン送出装置に係り、特にコインの送り出しを検出する検出手段の誤検出を防止するコイン送出装置に関する。
【背景技術】
【０００２】  貯蔵されたコインは、スロットマシーンの遊技状態によってコイン送出装置から払い出される必要があり、スロットマシーンの制御基板からそれらの信号がコイン送出装置に送られる。この信号を受け取ったコイン送出装置は、ホッパーバケット内のコインを送り出すディスクを回転させるモータの起動を促し、ディスクの回転によってコインが払い出し方向へ送り出される。送り出されたコインは、可動ローラが回動可能に固設されたカウンターアームを揺動させて、一枚ずつコイン払出口からコイン送出装置外へ払い出される。このとき、カウンターアームには、その揺動を検出するためのフォトセンサーが隣接して設置されており、一回ずつ揺動を検出して払い出されたコイン枚数を計数することができるようになっている。ところで、カウンターアームの揺動に際しては、コイン非払出時のカウンターアームの原位置である待機位置で接している箇所に弾性材料からなるストッパーを衝撃力の緩和のために設ける必要がある。例えば、特許文献１に関しては、ストッパーの弾性材料に弾力性のあるゴムが使用されていた。
【特許文献１】  特開平９−３１９９０８号
【発明の開示】
【発明が解決しようとする課題】
【０００３】  しかしながら、上記した従来のコイン送出装置では、待機位置へ戻ろうとしたカウンターアームがストッパーに接触した際、カウンターアームはストッパーからの反発力を受けて微小な跳動を起こしてしまい、検出手段であるフォトセンサーはそのカウンターアームの跳動を誤検出して実際にコインを排出した数と検出手段の検出数との差異が出てしまうという問題があった。【０００４】  また、ストッパーの配置位置は、カウンターアームのストッパー接触時の微小な跳動を考慮して精密な調整が必要で、例えば百分の五ミリ以内という大変緻密なものであるため精度管理が大変煩雑であるという問題もあった。【０００５】  本発明は上記課題を解決したもので、実際に排出されたコイン数と検出手段により検出したコイン数とが差異がなく、厳密な精度管理をしなくても検出手段が誤検出をすることがないコイン送出装置を提供する。
【課題を解決するための手段】
【０００６】  上記技術的課題を解決するために、本発明の請求項１において講じた技術的手段（以下、第１の技術的手段と称する。）は、バケットに貯められコイン送出円盤によって順次コイン出口へ案内されるコインにより、コイン払出部を開く方向に動作する可動ローラと、
該可動ローラが枢軸より離間した位置に回動可能に固設され、前記可動ローラの動作方向とは逆方向へ弾性部材により付勢されるカウンターアームと、弾性部材および前記可動ローラの動作からカウンターアームに発生する揺動を検出する検出手段を付設されたカウンターアームとからなるコイン送出装置において、前記カウンターアームの待機位置に設けられたストッパーを低反発部材にしたことを特徴とするコイン送出装置である。
【発明の効果】
【０００７】  本発明のコイン送出装置は、カウンターアームの位置決めをするストッパーを低反発部材にすることにより、カウンターアームがストッパーと接触時に生じる衝撃力を吸収して跳動無くカウンターアームを待機位置に静止させることができるため、検出手段が誤検出してしまうカウンターアームの不要な跳動を確実に防止する効果を有する。【０００８】  さらに、カウンターアームの不要な跳動を確実に防止されたことにより、ストッパーの位置を厳密に精度管理する必要がなくなり、製作の煩雑さを低減する効果も有する。
【発明を実施するための最良の形態】
【０００９】  以下、本発明の実施例について、図面に基づいて説明する。【００１０】  図１は本発明のコイン送出装置の後方斜視図である。図２は本発明のコイン送出装置の分解図である。図３（Ａ）乃至（Ｄ）は本発明のコイン送出装置の主要部の拡大図である。図４（Ａ）及び（Ｂ）は本発明のコイン送出装置のコイン払出検出の作動図である。まず、本発明のコイン送出装置の構成及びその作用について説明する。【００１１】  図１に示される本発明のコイン送出装置１００は、遊技機（図示しない）内の下端部に収容、設置されている。詳細にはコイン送出装置１００は、図２に示されるように、遊技機を遊技するときに必要な遊技媒体である円形板状のコイン１０（図３）を貯蔵し、上端が広がるように開口した断面略台形状のホッパーバケット１１０と、コイン１０が送り出されるために一時的に収容されるコイン収容部１２０と、コイン１０の払い出しと該コイン１０の払い出しを検出するコイン払出兼払出検出部１３０と、樹脂製あるいは金属製の基台１４０と、コイン収容部１２０の駆動源でありコイン収容部１２０下端面にボルトなどで固定され、ギアボックスなどの減速器を備えたモータ１５０とにより構成される。【００１２】  コイン収容部１２０は、ホッパーバケット１１０が螺子などにより固定可能なプレート１２３と、略円状の溝部１２３ｂに摺動可能に嵌合され、上面内周部から回転軸心方向すなわち上方へコーン状に突き出した円盤形状のディスク１２１とにより構成される。【００１３】  ディスク１２１は、ディスク１２１の回転中心に軸孔部１２１ｃと、軸孔部１２１ｃを中心として一定角度間隔で複数配置され、コイン１０を表側（ホッパーバケット１１０側）から裏側（プレート１２３側）へ落とし込むための略円形状の孔部１２１ａと、孔部１２１ａから裏側に落ちたコイン１０をプレート１２３との間で回転駆動させるために、そのコイン１０に当接しコイン１０を周方向に且つ外周方向へ向かうように放射状の爪が隣り合う孔部１２１ａ間に伸びたウィング１２１ｂ（図３）とがそれぞれ設けられている。【００１４】  プレート１２３は、前記溝部１２３ｂの中心に孔部１２３ｃが設けられ、この孔部１２３ｃには、ディスク１２１の軸孔部１２１ｃと連結するモータ１５０の回転軸が挿通される。また、略円状の溝部１２３ｂを構成している壁部の一部は、切り欠かれてコイン払出部１３６が構成されるとともにコイン出口１２３ａ（図１）へと通ずるようになっている。なお、ディスク１２１とプレート１２３との間には、ワッシャーなどの座金が配置され回転に伴う抵抗を極力避けるようにしている。【００１５】  プレート１２３の溝部１２３ｂが設けられた側の反対面側に配置されるコイン払出兼払出検出部１３０は、図４に示されるように、プレート１２３に固設されたベース部材１３１と、ベース部材１３１内に任意の一点で揺動可能に軸支された正面略Ｌ字形状のカウンターアーム１３２と、ベース部材１３１に軸支された固定ローラ１３３と、カウンターアーム１３２を待機位置に静止させるストッパー１３４と、カウンターアーム１３２の移動を検出する検出手段１３５とより構成される。特に、図２で固定ローラ１３３と可動ローラ１３２ａとは、���レート１２３上のコイン払出部１３６にプレート１２３を挿通して突き出されている。【００１６】  ベース部材１３１は、薄板状の鉄板でプレス形成され、カウンターアーム１３２の揺動軸を中心として空けられた略円弧状の長孔部１３１ａと、ストッパー１３４が取りつけられる曲げ部１３１ｂとが設けられている。【００１７】  カウンターアーム１３２は、ベース部材１３１の長孔部１３１ａに挿通してプレート１２３側へ突き出た回動可能に軸支された可動ローラ１３２ａと、ストッパー１３４に待機位置で接触する先端部１３２ｂとにより構成され、一端をベース部材１３１に固定されたスプリング１３７の他端が固定されて待機位置に戻す方向に付勢させている。【００１８】  ストッパー１３４は、曲げ部１３１ｂに低反発部材を被覆することによって形成され、例えば低反発部材の材質としては、ダイポルギー衝撃吸収ゴムなどの低反発性ゴムを用いることが望ましい。ところで、通常の弾性部材でストッパーが構成されていたものとは異なり、跳動を考慮した厳密な寸法精度（例えば、百分の五ミリ以内）を要求されないため、曲げ部１３１ｂの成形は、従来必要とされていた切削加工は必要ではなく、プレスで成形するだけでよい。【００１９】  検出手段１３５としては、発光素子の光が遮光されることにより変化する受光素子の出力をとらえるフォトセンサーなどを用いるのが望ましい。【００２０】  次に、本発明の作動について、図３（Ａ）乃至（Ｄ）に示されるコイン払い出しの際の作動状態を各ステップ毎に図面に基づいて説明する。【００２１】  図３（Ａ）において、ホッパーバケット１１０に貯蔵されているコイン１０は、モータ１５０により矢印θ（シータ）方向に回動するディスク１２１と接触して孔１２１ａ内に落ちていく。【００２２】  孔１２１ａ内に落ちたコイン１０は、図３（Ｂ）に示されるように、ウィング１２１ｂに当接しディスク１２１の回動によりディスク１２１の周方向に且つ外周方向へ向かう。【００２３】  続いて、図３（Ｃ）に示されるように、コイン１０は、コイン払出部１３６へ誘導されディスク１２１のウィング１２１ｂからの押し出す力を受けて、コイン払出部１３６を開く方向、つまり、図４でスプリング１３７の付勢力に対向して可動ローラ１３２ａを固定ローラ１３３と離れる方向へ移動させる。【００２４】  そして、図３（Ｄ）及び図４（Ｂ）に示されるように、更にウィング１２１ｂにより押し出されたコイン１０は、可動ローラ１３２ａと固定ローラ１３３との中心を結んだ線よりもコイン１０の中心が越えたところに移動することにより、可動ローラ１３２ａがスプリング１３７より受けている付勢力でコイン出口１２３ａへ弾き出され、コイン出口１２３ａからコイン送出装置１００外へ払い出される。ここで、コイン１０が払い出されると、コイン１０を弾き出した可動ローラ１３２ａは、スプリング１３７の付勢力でカウンターアーム１３２の先端部１３２ｂがストッパー１３４に接触し静止するところまで戻される。なお、カウンターアーム１３２が揺動したとき、検出手段１３５は、先端部１３２ｂが待機位置から移動したことを検出して、先端部１３２ｂが再度待機位置に戻ってきたことを検出することにより、コイン１��を払い出したことを示す信号を送り出す。【００２５】  このようにして、カウンターアーム１３２が、コイン１０が送り出される毎に揺動させられて検出手段１３５により払い出されるコイン１０の計数を行えるようになっている。
【図面の簡単な説明】
【００２６】
【図１】本発明のコイン送出装置の後方斜視図である。
【図２】本発明のコイン送出装置の分解図である。
【図３】本発明のコイン送出装置の主要部の拡大図である。
【図４】本発明のコイン送出装置のコイン払出検出の作動図である。
【符号の説明】
【００２７】１０…コイン
１００…コイン送出装置
１２０…コイン収容部
１２１…ディスク
１２１ｂ…ウィング
１３０…コイン払出兼払出検出部
１３２…カウンターアーム
１３２ａ…可動ローラ
１３４…ストッパー
１３５…検出手段
１３６…コイン払出部
【図１】
2005190451.tif 000003
【図２】
2005190451.tif 000004
【図３】
2005190451.tif 000005
【図４】
2005190451.tif 000006